(57)【要約】【課題】インスツルメントホース側に設けられている接続端子を、ワークテーブル側に設けられている複数個の接続端子のいずれにも接続可能とし、インスツルメントホースの接続箇所を現場で変更可能とする。【解決手段】インスツルメントホース９はワークテーブル２に固定された複数の接続端子２０（第１の接続端子２０1〜２０4）のうちの任意の１つにワンタッチ形式にて着脱自在に接続される接続端子１２（第２の接続端子）を有する。ワークテーブル２は、前記複数の接続端子（第１の接続端子）の各々に対応した操作パネル３０1〜３０4を有し、各操作パネルは、接続端子２０（第１の接続端子）に接続されたインスツルメントホースの種類（ＡＴ，ＭＥ，ＯＥ，ＭＳ等）を指定し、該接続されたインスツルメントホースに接続されたハンドピースに適したエアー，電気，水等を供給するようにする。【選択図】図１
2007117570.tif 000002
【特許請求の範囲】
【請求項１】
ワークテーブルに固定された複数の接続端子（第１の接続端子）のうちの任意の１つにワンタッチ形式にて着脱自在に接続される接続端子（第２の接続端子）を有するインスツルメントホースと、該インスツルメントホースの前記接続端子（第２の接続端子）が接続される前記複数の接続端子（第１の接続端子）を有するユニット本体とから成る歯科治療ユニットにおいて、前記ワークテーブルは、前記複数の接続端子の各々に対応した操作パネルを有し、各操作パネルは、該接続端子（第１の接続端子）に接続されたインスツルメントホースの種類を指定し、該接続されたインスツルメントホースに接続されたハンドピースに適したエアー，電気，水等を供給するようにしたことを特徴とする歯科治療ユニット。
【請求項２】
ワークテーブルに固定された複数の接続端子（第１の接続端子）のうちの任意の１つにワンタッチ形式にて着脱自在に接続される接続端子（第２の接続端子）を有するインスツルメントホースと、該インスツルメントホースの前記接続端子（第２の接続端子）が接続される前記複数の接続端子（第１の接続端子）を有するユニット本体とから成る歯科治療ユニットにおいて、前記ワークテーブルは、前記複数の接続端子のうちの１つを選択する操作スイッチと、接続されるインスツルメントホースの種類を選択する操作スイッチとを有する単一の操作パネルを有し、該操作パネルは、インスツルメントホースが接続された接続端子及び接続されたインスツルメントホースの種類を指定可能であり、指定されたハンドピースに適したエアー，電気，水等を供給するようにしたことを特徴とする歯科治療ユニット。
【発明の詳細な説明】
【技術分野】
【０００１】
本発明は、歯科治療ユニット、より詳細には、歯科治療において、歯科ユニット本体にワンタッチ形式で着脱自在に装着され、歯科治療ハンドピースに水，エアー，電気等を供給するインスツルメントホースの端子構造に係り、特に、歯科ユニット本体側に複数の接続端子がある場合に、歯科ユニット本体側の所望の接続端子に所望のインスツルメントホースを接続可能としたものである。
【背景技術】
【０００２】
図３は、本発明が適用される歯科治療ユニットの一例を示す全体構成図で、図中、１０は歯科治療ユニットで、該ユニット１０は、治療椅子１，ワークテーブル２，スピットン３，無影灯４，インスツルメントホルダ５，フットスイッチ６，アシスタントインスツルメントホルダ７，ハンドピース（インスツルメント）８，インスツルメントホース９等から成り、インスツルメントホルダ５には、歯科治療において使用する種々のハンドピース、例えば、エアータービン、マイクロエンジン、超音波スケーラ、マルチシリンジ等のハンドピース８が収納されており、周知のように、歯科治療に当り、患者は椅子１に座り、頭を安頭台に固定して治療を受ける。治療中、術者は治療椅子１を上下動，倒起動，傾斜動等させて、患者を治療しやすい姿勢にして治療を行う。
【０００３】
図４は、図３に示したインスツルメントホース９をユニット本体にワンタッチにて着脱自在に接続するようにした例を説明するための拡大図で、図中、２は図３に示したワークテーブル２に相当するワークテーブルで、該ワークテーブル２の下端面には、インスツルメントホース９の端子１２を着脱自在に接続するための接続端子２０が設けられており、通常は、この接続端子２０にインスツルメントホース９の端子１２がワンタッチ形成にて接続され、歯科治療ユニット１０側の水回路、エアー回路、電気回路等がハンドピース８側の水回路、エアー回路、電気回路等と接続され、所望の歯科治療が行なわれるようになっている。なお、図には、接続端子２０をワークテーブル２の下端面に設けた例を示したが、この接続端子２０は、ワークテーブルの下端面に限定されるものではなく、ユニット側の所望の箇所に設けてもよい。
【０００４】
最近の歯科治療ユニットにおいては、図４に示したように、インスツルメントホース９は、一方の端部１１にはハンドピース（インスツルメント）８が着脱自在に又は一体的に装着され、他方の端部には、接続端子２０に着脱自在に接続される接続端子１２が設けられている。この接続端子１２には、例えば、ロック部材１３が設けられており、このロック部材１３の爪を接続端子２０に設けられた引掛け孔２１に着脱させることにより、該インスツルメントホース９を歯科治療ユニット１０に対してワンタッチ形式にて着脱でき、これによって、インスツルメントホース９を歯科治療ユニット１０から取り外してオートクレーブ（高圧蒸滅菌）できるようにしている。
【０００５】
図４には、ワークテーブル２に単一のインスツルメントホースが接続される例を示したが、実際には、図３に示したように、ワークテーブル２は多数種のインスツルメントホース９が接続され、それぞれのインスツルメントホース９の先端には、該インスツルメントホース９に適したハンドピース８が接続されるようになっており、ワークテーブル２側（ユニット側）に設けられた接続端子２０とインスツルメントホース９側に設けられた接続端子１２とは対の関係になっており、ワークテーブル２側の接続端子２０とインスツルメントホース９側の接続端子１２とは固定関係になっており、インスツルメントホース９側の接続端子１２をワークテーブル２側の任意所望の接続端子に接続することは不可能であり、使い勝手が悪かった。
【発明の開示】
【発明が解決しようとする課題】
【０００６】
本発明は、上述のごとき不具合を解決するためになされたもので、特に、インスツルメントホース側に設けられている接続端子を、ワークテーブル（ユニット側）側に設けられている複数個の接続端子のいずれにも接続可能とし、もって、使用しようとするインスツルメントホースをユニット側に設置されている接続端子のうちの好きな接続端子に接続可能とし、インスツルメントホースの接続箇所を現場で変更することができ、更には、新型のインスツルメントが開発された時等に、インスツルメントホースの差し替え、或いは、追加できるようにすることを目的としてなされたものである。
【課題を解決するための手段】
【０００７】
上記課題を解決するために、請求項１の発明は、ワークテーブルに固定された複数の接続端子（第１の接続端子）のうちの任意の１つにワンタッチ形式にて着脱自在に接続される接続端子（第２の接続端子）を有するインスツルメントホースと、該インスツルメントホースの前記接続端子（第２の接続端子）が接続される前記複数の接続端子（第１の接続端子）を有するユニット本体とから成る歯科治療ユニットにおいて、前記ワークテーブルは、前記複数の接続端子の各々に対応した操作パネルを有し、各操作パネルは、該接続端子（第１の接続端子）に接続されたインスツルメントホースの種類を指定し、該接続されたインスツルメントホースに接続されたハンドピースに適したエアー，電気，水等を供給するようにしたことを特徴したものである。
【０００８】
請求項２の発明は、ワークテーブルに固定された複数の接続端子（第１の接続端子）のうちの任意の１つにワンタッチ形式にて着脱自在に接続される接続端子（第２の接続端子）を有するインスツルメントホースと、該インスツルメントホースの前記接続端子（第２の接続端子）が接続される前記複数の接続端子（第１の接続端子）を有するユニット本体とから成る歯科治療ユニットにおいて、前記ワークテーブルは、前記複数の接続端子のうちの１つを選択する操作スイッチと、接続されるインスツルメントホースの種類を選択する操作スイッチとを有する単一の操作パネルを有し、該操作パネルは、インスツルメントホースが接続された接続端子及び接続されたインスツルメントホースの種類を指定可能であり、指定されたハンドピースに適したエアー，電気，水等を供給するようにしたことを特徴としたものである。
【発明の効果】
【０００９】
本発明によると、ワークテーブルに設けられた複数個の接続端子（第１の接続端子）のうちの任意所望の接続端子にインスツルメントホース側の接続端子（第２の接続端子）を接続可能とし、かつ、接続したインスツルメントホースの接続端子（第１の接続端子）及び該接続端子の種類を指定し、該インスツルメントホースに接続されているハンドピースに適したエアー，水，電気等を供給できるようにしたので、術者は、ユニット側の一番使い勝手のよい接続端子（第１の接続端子）にインスツルメントホースを接続して使用することができ、効率的に施術することができる。或いは、使用頻度の高いインスツルメントの順に、使い勝手のよい場所に配設されているワークテーブル側接続端子を選んで接続することにより、効率良く歯科治療を行うことができる。
【発明を実施するための最良の形態】
【００１０】
図１は、本発明の一実施例を説明するための要部概略構成図で、ワークテーブル２には、同一構成の複数個の接続端子２０（第１の接続端子２０1〜２０4）が設けられており、これら複数の接続端子（第１の接続端子）のうちの任意所望の接続端子にインスツルメントホース９側の接続端子（第２の接続端子）１２がワンタッチにて着脱自在に接続されるようになっている。図１には、インスツルメントホースは、一本分しか記載されていないが、実際には、エアータービン（ＡＴ）用、マイクロエンジン（ＭＥ）用、超音波スケーラ（ＯＥ）用、マルチシリンジ（ＭＳ）用等治療目的に応じた多数のインスツルメントホースが準備されており、これらが、ワークテーブル側の任意所望の接続端子（第１の接続端子）２０1〜２０4に接続できるようになっている。
【００１１】
上述のように、本発明によると、ワークテーブル側に設けられた接続端子（第１の接続端子）とインスツルメントホース側に設けられた接続端子（第２の接続端子）とは、任意所望の接続端子同志を接続可能であるが、インスツルメントホース９の先端部には、それぞれ異なるハンドピースが接続されており、ハンドピース毎に、前記インスツルメントホースを通して供給されるエアー，電気，水等が異なり、例えば、エアータービン（ＡＴ）においては、動力源（タービン回転用）としての圧縮エアー流路、ハンドピース冷却用の水回路、照明光源用の電力線、等が配設され、マイクロエンジン（ＭＥ）においては、動力源（モータ駆動用）としての電力線（照明光源の電源を兼ねる）、冷却用の水回路等が配設されており、接続されたハンドピース８に適したエアー、電気、水等を該インスツルメントホース９を通して供給する。
【００１２】
上述のように、本発明においては、ワークテーブル側の各接続端子には、ハンドピースの異なる任意所望のインスツルメントホースを接続することが可能であるが、ワークテーブル側では、接続されたハンドピースに適したエアー，電気，水等をインスツルメントホースに供給する必要がある。そのためには、ワークテーブル側で、該ワークテーブルに接続されたインスツルメントホースを識別し、該識別されたインスツルメントホース（ハンドピース）に適したエアー，電気，水等を供給するようにする必要がある。
【００１３】
しかし、接続されたインスツルメントホースに該インスツルメントホースに適したエアー，電気，水等を供給するためには、ユニット側において、接続されたインスツルメントホースがどのようなハンドピースが接続されているインスツルメントホースであるかを知らなければ、接続されたインスツルメントホース（ハンドピース）に適したエアー，電気，水等を供給することができない。
【００１４】
本発明は、上述のごとき実情に鑑み、ワークテーブル側において、どの接続端子（第１の接続端子）にインスツルメントホースが接続されているのか、接続されたインスツルメントホースが何用であるか（例えば、エアータービン用であるか、マイクロエンジン用であるか等）を検知し、検知したインスツルメントホースに適したエアー，電気，水等を供給するようにしたもので、図１において、３０（３０1〜３０4）はワークテーブル側の各接続端子（第１の接続端子）２０（２０1〜２０4）に設けられた操作パネルで、各操作パネルには接続されたインスツルメントホースが何用であるか（ＡＴ用であるか、ＭＥ用であるか等）を指定できるスイッチ（ＡＴ，ＭＥ，ＯＥ，ＭＳ）が設けられており、インスツルメントホースが接続された時に、接続されたインスツルメントホースに対応するスイッチを押すことができるようになっている。例えば、図１において、左から２番目の接続端子２０2にエアータービンが接続されている場合には、操作パネル３０2にＡＴと記載されている。操作スイッチを押すと、押された操作スイッチに対応してエアー，水，電気等の供給準備がなされ、ハンドピース（インスツルメント）が操作された時に、該ハンドピースに対応したエアー，水，電気等が適切に供給されるようになっている。
【００１５】
図２は、本発明の他の実施例を説明するための要部概略構成図で、この実施例においては、ワークテーブル２に単一の操作パネル４０を有し、該操作パネル４０によって、インスツルメントが接続されている接続端子（第１の接続端子）を指定し、その後に、該指定された接続端子に接続されているインスツルメントホース（ハンドピース）の種類を指定するようになっている。例えば、ワークテーブル２に設けられている接続端子（第１の接続端子）に対して、例えば、図２の左側から１，２，３，４と番号付けをしておき、例えば、３番目の接続端子にエアータービン用のインスツルメントホースを接続した時は、操作パネル４０上の上段の左から３番目の３と記載された操作スイッチを押し、次いで、下段のＡＴと記載された操作スイッチを押すと、ワークテーブル２側では、図２の左から３番目のハンドピース（エアータービン）８に該ハンドピース８に適したエアー，水，電気等を供給する準備がなされる。
【図面の簡単な説明】
【００１６】
【図１】本発明による歯科治療ユニットの一実施例を説明するための要部概略構成図である。
【図２】本発明による歯科治療ユニットの他の実施例を説明するための要部概略構成図である。
【図３】本発明が適用される歯科治療ユニットの一例を説明するための全体概略構成図である。
【図４】ユニット側に設けられた接続端子とインスツルメントホース側に設けられた接続端子との関係を説明するための要部構成図である。
【符号の説明】
【００１７】
１…治療椅子、２…ワークテーブル、３…スピットン、４…無影灯、５…インスツルメントホルダ、６…フットスイッチ、７…アシスタントインスツルメントホルダ、８…インスツルメント、９…インスツルメントホース、１０…歯科治療ユニット、１２，２０…接続端子、１３…ロック部材、２１…引掛け孔、３０，４０…操作パネル。
【図１】
2007117570.tif 000003
【図２】
2007117570.tif 000004
【図３】
2007117570.tif 000005
【図４】
2007117570.tif 000006